(57)【特許請求の範囲】
【請求項１】
画像データに基づいて画像を形成する画像形成部と、
情報を表示して操作入力を受け付ける操作表示部と、
印刷ジョブを管理して前記画像形成部を制御し、さらに前記操作表示部の表示および操作受付を制御する制御部とを備え、
前記制御部は、印刷ジョブの出力結果を事前に確認する機能として、印刷に関する設定内容に基づいて、印刷を伴う印刷確認機能と画面表示のみを行う表示確認機能とを有し、
印刷に関する設定が変更された場合に、変更内容に応じて、印刷を伴う印刷機能と画面表示による画面確認機能のいずれか一方または両方を推奨確認機能として自動選択することを特徴とする画像形成装置。
【請求項２】
前記制御部は、自動選択された前記推奨確認機能を自動実行することを特徴とする請求項１記載の画像形成装置。
【請求項３】
前記画面表示が、プレビュー表示とメッセージ表示の一方または両方であることを特徴とする請求項１または２に記載の画像形成装置。
【請求項４】
前記制御部は、印刷に関する複数の設定項目の設定が変更された場合、個々の変更に対応する確認機能を判定し、その判定結果に基づいて前記推奨確認機能を決定することを特徴とする請求項１〜３のいずれか１項に記載の画像形成装置。
【請求項５】
前記制御部は、印刷を伴う確認機能としてサンプル印刷が含まれる場合、サンプル印刷を前記推奨確認機能として選択することを特徴とする請求項１〜４のいずれか１項に記載の画像形成装置。
【請求項６】
前記制御部は、自動選択された推奨確認機能を前記操作表示部に表示して実行を促すことを特徴とする請求項１〜５のいずれか１項に記載の画像形成装置。
【請求項７】
前記制御部は、個々の設定変更に対する確認機能を表示する詳細表示機能を有することを特徴とする請求項１〜６のいずれか１項に記載の画像形成装置。
【請求項８】
前記制御部は、選択された推奨確認機能の内容と設定変更内容とを前記操作表示部に関連付けて表示する機能を有することを特徴とする請求項１〜７のいずれか１項に記載の画像形成装置。
【請求項９】
前記制御部は、前記自動選択では、所定の設定項目に対する変更については、印刷ジョブで使用される転写媒体情報に基づいて確認機能を自動選択することを特徴とする請求項１〜８のいずれか１項に記載の画像形成装置。
【請求項１０】
前記所定の設定項目は、サンプル印刷が望ましいが、プレビューでもある程度確認できる項目として指定されたものであることを特徴とする請求項９記載の画像形成装置。
【請求項１１】
前記制御部は、推奨確認機能を実行されていない場合は、変更された前記設定の保存を禁止することを特徴とする請求項１〜１０のいずれか１項に記載の画像形成装置。
【請求項１２】
前記制御部は、サンプル印刷がユーザーにより自発的に行われており、サンプル印刷後、印刷に関する設定が変更されていない場合には、推奨確認機能を自動選択する機能は実施しないことを特徴とする請求項１〜１１のいずれか１項に記載の画像形成装置。
【請求項１３】
前記制御部は、前記推奨確認機能を自動選択する機能をＯＮ／ＯＦＦ可能であることを特徴とする請求項１〜１１のいずれか１項に記載の画像形成装置。
【請求項１４】
画像データに基づいて画像を形成する画像形成装置における画像を確認する画像確認方法であって、
印刷ジョブの出力結果を事前に確認する機能として、設定内容に基づいて、印刷を伴う印刷確認機能と画面表示のみを行う表示確認機能を有し、
印刷に関する設定が変更された場合に、変更内容に応じて、印刷を伴う印刷機能と画面表示による画面確認機能のいずれかを推奨確認機能として自動選択することを特徴とする画像確認方法。
【発明の詳細な説明】
【技術分野】
【０００１】
この発明は、画像データに基づいて画像を形成する画像形成装置および画像形成方法に関するものである。
【背景技術】
【０００２】
画像形成装置で印刷を行う場合、ユーザーは、保存されたＪＯＢの印刷に関し、様々な設定を変更することができる。その際に、印刷状態を事前に把握したいという要望がある。ただし、変更内容に依って変更結果を確認する手段が異なり、また確認方法と確認の実施有無はユーザーに一任されている。
事前の確認としては、確認出力、画像のプレビュー表示、メッセージ表示などが挙げられる。
【０００３】
例えば，特許文献１では、印刷設定を自動的に変更した場合であっても、変更箇所をユーザーが容易に認識できるように、プレビュー画像を表示する技術が提案されている。この技術によれば、変更前後の画像をプレビュー画面で並べる、もしくは交互に表示を行うことで、変更内容を明示することができる。
また、特許文献２では、印刷ジョブをプリンタに送信する前に印刷行う必要性を確認できる文書管理装置を提供している。この技術によれば、ジョブもしくはページ単位に「印刷後内容変更あり」、「印刷後内容変更なし」、あるいは「未印刷」の属性を関連付けることで、変更箇所の確認出力を促すことができる。 
【先行技術文献】
【特許文献】
【０００４】
【特許文献１】特開２０１４−１４９６８０号公報
【特許文献２】特開２００８−４０８４５号公報
【発明の概要】
【発明が解決しようとする課題】
【０００５】
しかし、特許文献１では、変更内容をプレビュー表示にて明示するが、出力を促すことはなく、プレビュー画像では判断できず、用紙に出力しなければ印刷状態がわからない設定変更に対しては対応することができない。
また、特許文献２では、設定変更後印刷がされてないページに対して、確認出力を促すが、プレビューによる確認で十分な設定変更に対しては対応しておらず、変更内容によっては無駄な出力が行われてしまう。
【０００６】
本発明は、上記事情を背景としてなされたものであり、変更内容に応じて、変更内容に適した確認機能を提供することを可能にする画像形成装置および画像確認方法を提供することを目的の一つとする。
【課題を解決するための手段】
【０００７】
すなわち、本発明の画像形成装置のうち、第１の形態は、
画像データに基づいて画像を形成する画像形成部と、
情報を表示して操作入力を受け付ける操作表示部と、
印刷ジョブを管理して前記画像形成部を制御し、さらに前記操作表示部の表示および操作受付を制御する制御部とを備え、
前記制御部は、印刷ジョブの出力結果を事前に確認する機能として、印刷に関する設定内容に基づいて、印刷を伴う印刷確認機能と画面表示のみを行う表示確認機能とを有し、
印刷に関する設定が変更された場合に、変更内容に応じて、印刷を伴う印刷機能と画面表示による画面確認機能のいずれか一方または両方を推奨確認機能として自動選択することを特徴とする。
【０００８】
本発明の他の形態の画像形成装置の発明は、前記形態の本発明において、前記制御部は、自動選択された前記推奨確認機能を自動実行することを特徴とする。
【０００９】
本発明の他の形態の画像形成装置の発明は、前記形態の本発明において、前記画面表示が、プレビュー表示とメッセージ表示の一方または両方であることを特徴とする。
【００１０】
本発明の他の形態の画像形成装置の発明は、前記形態の本発明において、前記制御部は、印刷に関する複数の設定項目の設定が変更された場合、個々の変更に対応する確認機能を判定し、その判定結果に基づいて前記推奨確認機能を決定することを特徴とする。
【００１１】
本発明の他の形態の画像形成装置の発明は、前記形態の本発明において、前記制御部は、印刷を伴う確認機能としてサンプル印刷が含まれる場合、サンプル印刷を前記推奨確認機能として選択することを特徴とする。
【００１２】
本発明の他の形態の画像形成装置の発明は、前記形態の本発明において、前記制御部は、自動選択された推奨確認機能を前記操作表示部に表示して実行を促すことを特徴とする。
【００１３】
本発明の他の形態の画像形成装置の発明は、前記形態の本発明において、前記制御部は、個々の設定変更に対する確認機能を表示する詳細表示機能を有することを特徴とする。
【００１４】
本発明の他の形態の画像形成装置の発明は、前記形態の本発明において、前記制御部は、選択された推奨確認機能の内容と設定変更内容とを前記操作表示部に関連付けて表示する機能を有することを特徴とする。
【００１５】
本発明の他の形態の画像形成装置の発明は、前記形態の本発明において、前記制御部は、前記自動選択では、所定の設定項目に対する変更については、印刷ジョブで使用される転写媒体情報に基づいて確認機能を自動選択することを特徴とする。
【００１６】
本発明の他の形態の画像形成装置の発明は、前記形態の本発明において、前記所定の設定項目は、サンプル印刷が望ましいが、プレビューでもある程度確認できる項目として指定されたものであることを特徴とする。
【００１７】
本発明の他の形態の画像形成装置の発明は、前記形態の本発明において、前記制御部は、推奨確認機能を実行されていない場合は、変更された前記設定の保存を禁止することを特徴とする。
【００１８】
本発明の他の形態の画像形成装置の発明は、前記形態の本発明において、前記制御部は、サンプル印刷がユーザーにより自発的に行われており、サンプル印刷後、印刷に関する設定が変更されていない場合には、推奨確認機能を自動選択する機能は実施しないことを特徴とする。
【００１９】
本発明の他の形態の画像形成装置の発明は、前記形態の本発明において、前記制御部は、前記推奨確認機能を自動選択する機能をＯＮ／ＯＦＦ可能であることを特徴とする。
【００２０】
本発明の他の形態の画像形成装置の発明は、前記形態の本発明において、画像データに基づいて画像を形成する画像形成装置における画像を確認する画像確認方法であって、
印刷ジョブの出力結果を事前に確認する機能として、設定内容に基づいて、印刷を伴う印刷確認機能と画面表示のみを行う表示確認機能を有し、
印刷に関する設定が変更された場合に、変更内容に応じて、印刷を伴う印刷機能と画面表示による画面確認機能のいずれかを推奨確認機能として自動選択することを特徴とする。
【発明の効果】
【００２１】
すなわち、本発明によれば、印刷に関する変更内容に適した確認機能を自動的に提供することで、余分な確認による無駄な紙の使用やユーザーによる手間を省くことができる効果がある。
【図面の簡単な説明】
【００２２】
【図１】本発明の一実施形態の画像形成装置を含む画像形成システムを示す概略図である。
【図２】同じく、画像形成装置を含む画像軽視システムの制御ブロック図である。
【図３】同じく、印刷に関する設定を行う設定画面を示す図である。
【図４】同じく、ユーザーによる確認を促す確認画面とその遷移の例を示す図である。
【図５】同じく、推奨機能の自動選択の手順を示すフローチャートである。
【図６】同じく、推奨機能決定処理の手順を示すフローチャートである。
【図７】同じく、確認機能決定処理の手順を示すフローチャートである。
【図８】同じく、変更内容詳細画面（詳細）決定処理の手順を示すフローチャートである。
【図９】同じく、変更内容詳細画面（一覧）の制御手順を示すフローチャートである。
【図１０】同じく、変更内容詳細画面（詳細）の制御手順を示すフローチャートである。
【発明を実施するための形態】
【００２３】
以下に、本発明の実施形態を添付図面に基づいて説明する。
図１は、画像形成システム１の概略を示す図である。画像形成システム１は、前段側から後段側にかけて、大容量給紙装置２０、画像形成装置１０、後処理装置３０がこの順で機械的、電気的に接続されており、相互に通信が可能になっている。
後処理装置３０は、整合、ステープル、パンチ、断裁、折り、冊子形成などの適宜の後処理機能を有しており、一つの後処理装置で複数の後処理機能を有するものであってもよい。なお、各後処理装置の機能は特に限定されるものではなく、その数も特に限定されるものではない。
また、この実施形態では、画像形成装置１０とその他の装置とで画像形成システムを構成するものとして説明したが、これらの大容量給紙装置２０、後処理装置３０はオプショとしてもよい。ユーザー毎にオプションの構成は異なり、また本発明の必要構成要素ではない。上記後処理装置は平綴じ機を想定している。また、上記した画像形成装置１０を画像形成装置の主要構成として、その他の装置とともに画像形成装置を構成するものとしてもよい。
【００２４】
大容量給紙装置２０は、給紙トレイ２１を複数段有し、各給紙トレイ２１から転写媒体を画像形成装置１０に供給する。
次に、画像形成装置１０の概要を説明する。
画像形成装置１０では、画像形成装置本体１０Ａの上部側に原稿読み込み部の一部を構成する原稿給送装置（ＤＦ）１３が設けられており、原稿給送装置（ＤＦ）１３で給送される原稿は、図示しないスキャナー部で画像読取が可能になっている。なお、原稿は、図示しないプラテンガラス上で読み込むこともできる。
【００２５】
また、画像形成装置本体１０Ａの上部側で、プラテンガラスが位置しない箇所に、操作表示部１４が設けられており、操作表示部１４には、ＬＣＤ１４０が設置されている。ＬＣＤ１４０はタッチパネルで構成されており、操作者による操作および情報の表示が可能になっている。ＬＣＤ１４０は、操作部と表示部を兼用している。なお、操作部をマウスやタブレット、キーボードなどで構成し、表示部とは別体で構成することも可能である。また、ＬＣＤ１４０は移動可能となっているものであってもよい。
【００２６】
画像形成装置本体１０Ａの下部側には、複数の給紙トレイ１２（図では２段）が配置され、転写媒体が収納されて給紙可能になる。転写媒体の種類は特に限定されず、用紙以外のものであってもよい。
画像形成装置本体１０Ａ内には、いずれかの給紙トレイ１２から給紙される用紙を搬送する搬送経路１１が設けられており、搬送経路１１の途中に、画像形成部１５が設けられている。画像形成部１５は、感光体１５Ａと、感光体１５Ａの周囲に配置した図示しない、帯電器、現像器、転写部、書き込み部を有しており、さらに感光体１５Ａの下流側の搬送経路１１には定着器１５Ｂが配置されている。
【００２７】
定着器１５Ｂの下流側で、搬送経路１１が分岐して、反転搬送装置１６を有する反転搬送経路１７が接続されている。
画像形成部１５では、帯電器により画像書込み前に感光体１５Ａの表面を一様に帯電し、書き込み部により表面が一様に帯電された感光体１５Ａにレーザを照射することにより感光体１５Ａに静電潜像を形成する。現像器は、書き込み部によって感光体１５Ａに形成された静電潜像をトナー部材によって現像する。この現像処理によって感光体１５Ａにトナー画像が形成される。転写部は、給紙トレイ１２や図示しない大容量給紙装置２０から搬送されてきた転写媒体（用紙など）に感光体１５Ａのトナー画像を転写する。トナー画像が転写された転写媒体は、感光体１５Ａから分離されて定着器１５Ｂに搬送される。感光体１５Ａに残留したトナー部材は、図示しないクリーニング部によって除去される。
【００２８】
定着器１５Ｂは、搬送された用紙を加熱することにより用紙の表面側に転写されたトナー画像を出力画像として定着する。定着処理が施された用紙は、搬送経路１１によってそのまま後処理装置３０に搬送されるか、反転搬送経路１７に送って反転搬送装置１６で表裏を反転した後、画像形成部１５の上流側に環流して表裏反転された用紙の裏面に画像形成部１５によって画像形成を行うことによって両面への印刷を行うことができる。なお、反転搬送経路１７に用紙を送り、反転搬送装置１６で反転した後、画像形成部１５に送ることなく搬送経路１１に戻して搬送することも可能である。
搬送経路１１は、下流側で後処理装置３０の搬送経路３１に接続されている。
【００２９】
後処理装置３０の概要について説明する。
後処理装置３０は、後処理部３３を有しており、後処理が行われた転写媒体を排出するメイン排紙部３６Ａが設けられている。また、後処理を行うことなく転写媒体を排出するサブ排紙部３６Ｂをメイン排紙部３６Ａとは別に設けられている。また、後処理装置３０には、挿入紙を転写媒体に挿入する挿入トレイ３７を有している。
【００３０】
次に、画像形成システム１の機能ブロックを図２のブロック図に基づいて説明する。
先ず、大容量給紙装置２０について説明する。
大容量給紙装置２０は、ＣＰＵ２００、ＲＯＭ２０１、ＲＡＭ２０２、給紙部２２０、用紙搬送部２２１、入力部２４０、センサ２４１、出力部２５０、負荷２５１、本体Ｉ／Ｆ２６０などを有している。
【００３１】
ＣＰＵ２００は、大容量給紙装置２０内の各部から通知される情報などに基づいて、大容量給紙装置２０全体の動作を制御する。
ＲＯＭ２０１には、各種のプログラム或いはデータが格納されており、ＣＰＵ２００はＲＯＭ２０１からプログラム或いはデータを読み出して大容量給紙装置２０を制御する。
ＲＡＭ２０２は、ＣＰＵ２００が大容量給紙装置２０を制御する際に必要なプログラム或いはデータを一時的に記憶する場所である。
【００３２】
給紙部２２０は、給紙トレイ２１から転写媒体を給紙する機構を有し、ＣＰＵ２００の制御によって動作する。
用紙搬送部２２１は、給紙部２２０によって給紙された用紙を搬送し、画像形成装置１０へと搬送する機構を有し、ＣＰＵ２００の制御によって動作する。
【００３３】
入力部２４０は、各種入力情報を受けてＣＰＵ２００に情報を伝達するものであり、センサ２４１で搬送される転写媒体の検出などを行い、検出結果をＣＰＵ２００に送信する。
出力部２５０は、各種の負荷２５１に対し必要な駆動電圧を出力するものであり、用紙搬送部２２１の搬送ローラなどを駆動させる。
本体Ｉ／Ｆ２６０は、画像形成装置１０との間で各種情報のやり取りを行うインターフェースである。
【００３４】
次に、画像形成装置１０について説明する。
画像形成装置１０は、画像処理部１２０、画像読取部１３０、画像形成部１５、操作表示部１４、ＣＰＵ１００、ＲＯＭ１０１、ＲＡＭ１０２、給紙部１１０、用紙搬送部１１１，入力部１４０、センサ１４１、出力部１５０、負荷１５１、後処理機Ｉ／Ｆ１７０等から構成されている。
【００３５】
給紙部１１０は、画像形成装置１０に備える給紙トレイ１２から転写媒体を給紙する機能を有し、ＣＰＵ１００によって制御される。
用紙搬送部１１１は、給紙部１１０から給紙される転写媒体や大容量給紙装置２０から搬送される転写媒体を画像形成装置１０内で搬送し、画像形成後に、後処理装置３０に搬送する機構を有する。
【００３６】
画像処理部１２０は、画像読取部１３０によって読み取られた原稿画像の画像データや図示しないＨＤＤなどに格納された画像データに対して、各種画像処理を施す。
【００３７】
画像読取部１３０は、原稿に対して図示しない光源により光を照射し、その反射光に基づいて原稿画像の画像データを読み取る。読み取られた画像データは、画像形成部１５に通知されるとともに、図示しないＨＤＤなどに格納される。
【００３８】
画像形成部１５は、画像処理部１２０により画像処理が施された画像データや外部から取得した画像データなどに基づいて、転写媒体に画像を形成する。転写媒体に対して画像を形成する方法としては、電子写真方式、インクジェット方式、レーザプリント方式等が考えられる。
【００３９】
操作表示部１４は、表示部と操作部またはこれらが合体した装置により構成することができ、この実施形態では、ＬＣＤ１４０によって表示部と操作部とが一体になって構成されている。操作表示部１４は、ＣＰＵ１００によって制御され、用紙に対する画像形成や後処理に関する各種設定や指示操作を入力することが可能であり、入力された各種設定の内容に応じて、画像形成装置１０は転写媒体に対して画像を形成し、後処理装置３０は画像形成された転写媒体に対し後処理を施す。また、操作表示部１４からは、用紙の紙種や斤量に関する情報を入力することも可能である。また、操作表示部１４では、各種情報を表示することができる。
【００４０】
ＣＰＵ１００は、画像形成装置１０内の各部から通知される情報に基づいて、画像形成装置１０全体の動作を制御する。また、ＣＰＵ１００は、大容量給紙装置２０や後処理装置３０に制御指令を送信してこれら装置を制御することができる。
【００４１】
ＲＯＭ１０１には、各種のプログラム或いはデータが格納されており、ＣＰＵ１００はＲＯＭ１０１からプログラム或いはデータを読み出して画像形成装置１０を制御する。
ＲＡＭ１０２は、ＣＰＵ１００が画像形成装置１０を制御する際に必要なプログラム或いはデータを一時的に記憶する場所である。ＨＤＤなどには、画像読取部１３０により読み取られた画像データ等が格納される。
ＣＰＵ１００、ＲＯＭ１０１、ＲＡＭ１０２は、本願発明の制御部として機能する。
【００４２】
給紙装置Ｉ／Ｆ１６０は、大容量給紙装置２０との間で各種情報のやり取りを行うインターフェースである。
後処理機Ｉ／Ｆ１７０は、後処理装置３０との間で各種情報のやり取りを行うインターフェースである。
【００４３】
次に、後処理装置３０について説明する。
後処理装置３０は、前段Ｉ／Ｆ３８０を有しており、前段Ｉ／Ｆ３８０は、画像形成装置１０の後処理機Ｉ／Ｆ１７０と各種情報のやり取りを行うインターフェースである。
【００４４】
後処理装置３０には、用紙搬送部３２０を有しており、画像形成装置１０から搬送される転写媒体や挿入給紙部３７０から給紙される挿入紙を後処理装置３０内で搬送を行い、最終的には、メイン排紙部３６Ａまたはサブ排紙部３６Ｂに排紙する。
用紙搬送部３２０における搬送経路の中途には、用紙をスタックするスタッカ部３３０を有しており、その下流側に平綴じ部３３１を有している。
平綴じ部３３１は、複数枚の転写媒体に対し平綴じを行うものであり、スタッカ部３３０でスタックされた転写媒体を受けて平綴じが行われる。スタッカ部３３０および平綴じ部３３１は、後処理部３３に含まれている。
【００４５】
ＣＰＵ３００は、後処理装置３０内の各部から通知される情報に基づいて、後処理装置３０全体の動作を制御する。また、画像形成装置１０のＣＰＵ１００からの指示によって動作して後処理装置３０を制御することができる。
ＲＯＭ３０１には、各種のプログラム或いはデータが格納されており、ＣＰＵ３００はＲＯＭ３０１からプログラム或いはデータを読み出して後処理装置３０を制御する。
ＲＡＭ３０２は、ＣＰＵ３００が後処理装置３０を制御する際に必要なプログラム或いはデータを一時的に記憶する場所である。
【００４６】
入力部３４０は、各種入力情報を受けてＣＰＵ３００に情報を伝達するものであり、センサ３４１で搬送される用紙の検出を行い、検出結果を入力部３４０に送信する。これによりスタッカ部３３０への用紙到達を検知して、平綴じ部３３１に束を送って冊子処理を開始することができる。
出力部３５０は、駆動電圧を出力するものであり、各種の負荷３５１に駆動電圧を供給することができる。例えば、搬送ローラの駆動や冊子処理の開始に伴って平綴じ部３３１の駆動負荷を動作させる。
【００４７】
挿入給紙部３７０は、転写媒体中にインサート用の挿入紙を挿入するものであり、挿入トレイ３７を有している。
メイントレイユニット３６０は、冊子を排紙するメイン排紙部３６Ａを動作させるユニットである。また、後処理装置３０には、メイン排紙部３６Ａとは異なるサブ排紙部３６Ｂを備えている。
【００４８】
なお、画像形成装置１０は、印刷ジョブの出力結果を事前に確認する確認機能を有しており、制御部の動作によってこの機能を実現する。
この実施形態では、確認機能として印刷を伴う確認機能と、画面表示のみを行う確認機能を有している。
印刷を伴う確認機能では，設定されたジョブの設定部数に拘わらず、同じ設定で１部出力するサンプル出力機能を有している。ユーザーは、出力された出力物を見て印刷に関する設定内容の確認を行うことができる。印刷に関する設定内容は、設定の内容如何によって印刷物の状態が変化し得る事項に係るものである。
画面表示のみを行う機能は、操作表示部１４にて、ページ単位でサムネイル画像を表示し、その画像内に設定内容を反映させるプレビュー表示機能である。ユーザーは、表示されたプレビュー画像を見て設定内容の確認を行うことができる。
【００４９】
保存されたジョブに対し、ユーザーは様々な設定変更が可能である。
図３は、保存ジョブに対する設定画面の例を示すものである。この例の設定画面１４００では、出力設定項目１４１０、１４１１や、応用設定項目１４２０、用紙設定項目１４３０、画質調整項目１４４０などの複数項目の設定が可能であり、各項目中で、複数の設定内容について変更をすることができる。図３の設定内容は、一例であって、設定内容がこれらに限定されるものではない。設定画面１４００では、初期設定内容に従って、設定内容が表示され、各項目に対する設定の変更が可能になる。
【００５０】
設定画面１４００では、下部側に、設定された設定内容を保存する新規保存釦１４５０、上書保存釦１４５１、キャンセル釦１４５２が押下可能に配置されている。新規保存釦１４５０は、設定内容を新規に保存することができ、上書保存釦１４５１は、変更された設定内容を含む設定内容が上書保存される。キャンセル釦１４５２は、設定変更された内容をキャンセルする。
また、設定変更画面１４００には、サンプル出力釦１４６０が設けられており、設定された内容に基づいてサンプル出力が実行される。
なお、サンプル出力がユーザーにより自発的に行われた場合、印刷に関する設定が変更されていない場合、仮に推奨確認機能がＯＮになっていても、自動選択する機能はＯＦＦにしておくことができる。
【００５１】
なお、変更された設定項目によってユーザーが行うべき確認機能が変わる。確認機能には、上記したように出力を伴う確認手段＝サンプル出力、画面表示のみを行う確認手段＝プレビュー表示／メッセージ表示がある。
サンプル出力確認とプレビュー確認もしくはメッセージ確認が必要な設定項目が変更された場合、サンプル出力をすることで、一通りの設定内容を確認することができることから、推奨手段はサンプル出力とする。
推奨機能の優先度は、サンプル出力＞プレビュー確認＞メッセージ表示とすることができる。
設定変更の内容と推奨機能の内容との関連性は、ＲＯＭ１０１や図示しない不揮発メモリなどに格納しておくことができ、また、操作表示部１４を通してユーザーが設定をできるようにしてもよい。
【００５２】
以下に、設定内容と確認推奨機能との関係例を説明する。
『サンプル出力確認が推奨される設定項目』
サンプル出力が推奨される設定項目は、例えば、束としての出力物を直接確認が必要な項目や、ページ単位で表示するプレビュー画像では表現できないものが該当する。
【００５３】
［出力設定］
・束区切りの位置
追加・変更された場合に出力される束に変化が生じるため、直接確認が必要になる。  束に対する区切り情報であるため、プレビュー画像では表現できない。
（例）１０ページ原稿で最終ページのみに束区切りのある平綴じＪＯＢの場合
１〜１０Ｐの平綴じ束が生成される。
１０ページ原稿で５ページと最終ページに束区切りのある平綴じＪＯＢの場合
１〜５ページの束と６〜１０ページの２つの束が生成される。
【００５４】
・折り機能の付加
紙を折った場合の画の見え方はプレビューでは表現できない。
（例）折り目上の画の状態、重ねて折った際の紙の厚みによる紙毎の折り位置の差異
・排紙面／排紙順の変更
出力束としては変化しないが、オフライン機を想定した場合には、排紙トレイに出力される際の排紙面や順序をオフライン機に合わせる必要があるため、直接確認が必要になる。
【００５５】
［用紙設定］
・用紙の変更
用紙の変更により、出力束の厚みや出来映えに変化が生じる可能性があるため、出力による直接確認が必要になる。
用紙の厚みや紙に画をのせた場合の見え方の差異はプレビュー画面では表現できない。したがって、この例では、転写媒体の情報に基づいて確認機能が自動で選択される。
【００５６】
『サンプル出力が望ましいが、プレビュー確認でもある程度確認できる変更項目』
［画質調整］
・トーンカーブ調整の変更
トナーはＣ（シアン）Ｍ（マゼンタ）Ｙ（イエロー）Ｋ（ブラック）で表現するが、プレビュー画像はＲＧＢで表現されているため、微妙な色の差異が生じる可能性があるため出力確認が望ましい。また、色の品質を確認するためにも出力確認が望ましいが、ユーザーによってはプレビュー確認で十分な場合がありうる。
【００５７】
『サンプル出力が望ましいが、メッセージ確認でもある程度確認できる項目』
［画質調整］  
・画像位置調整
紙に対して、画の乗せる位置を上下左右に調整するため、出力確認が望ましいが、ユーザーによっては上下左右の移動量さえわかれば十分な場合がありうる。
例）ユーザーの手元に以前出力したものがあり、そこからＸ［ｍｍ］動かせばよいというのがわかっている場合。
【００５８】
『プレビュー表示確認が推奨される設定項目』
プレビュー表示確認が推奨される設定項目は、変更内容をサムネイル画像に明示することが可能であり、その画像を見れば、変更結果を確認できる設定が該当する。
【００５９】
［出力設定］
・後処理機能の変更（折り系は除く）
［応用設定］
・集約機能（Ｎｉｎ１、小冊子、無線綴じ）
・スタンプ機能
・画像回転機能
【００６０】
［画像ページ編集（※１）］  
・ページの並び替え
【００６１】
『メッセージ表示確認が推奨される設定項目』
メッセージ表示確認が推奨される設定項目は、画に変化を及ぼさない設定、設定変更による変更結果が容易に想像できる設定が該当する。
【００６２】
［基本設定（※２）］
・ファイル名
・設定部数
【００６３】
［出力設定］
・印刷面（片面／両面）
・両面綴じ方向（左右綴じ／上綴じ）
・ソート／グループ
・排紙トレイ
・不要インデックス紙排紙する／しない
【００６４】
（※１、※２）保存ジョブの編集画面では設定の分類として「画像ページ編集」や「基本設定」に分類されているが、これらに分類される項目は少ないため、変更内容確認画面では「出力設定」や他の分類に含ませてもよい。
【００６５】
次に、設定変更がされた際に、ユーザーによる確認を促す確認画面とその遷移画面の例を図４に基づいて説明する。
設定画面で保存釦が押下されると（例えば設定画面１４００の上書保存釦１４５１の押下）、保存の前に変更内容確認画面１５００が設定画面上にポップアップ表示される。なお、変更内容確認画面はポップアップ表示でなく、画面が完全に遷移するものであってもよい。
【００６６】
変更内容確認画面１５００では、推奨機能表示欄１５０１に推奨機能の内容が表示される。この実施形態では、推奨機能としてサンプル出力が自動選択されている。推奨機能は、変更された設定内容に従って、サンプル出力、プレビュー表示、メッセージのみ表示のいずれかが制御部によって選択される。変更された設定内容が複数あり、それら内容において異なる推奨機能がある場合、優先順位（サンプル出力＞プレビュー＞メッセージのみ）に従って、複数の推奨機能のうち優先順位が高いものを選択する。また、推奨確認機能が複数であってもよい。例えば、サンプル印刷が望ましいが、プレビューでもある程度確認できる項目として指定されたものなどが例示される。
【００６７】
さらに、変更内容確認画面１５００には、変更内容の詳細釦１５０３、保存釦１５０５、キャンセル釦１５０６が配置されている。変更内容の詳細釦１５０３が押下されると、変更内容詳細画面１５１０に画面遷移する。保存釦１５０５は、確認機能が実行されない限りは無効（網掛け表示）としておく。確認機能が実行されると、保存釦１５０５は有効になり、ユーザーは押下して変更内容を保存することができる。キャンセル釦１５０６が押下されると、変更内容確認画面１５００が閉じられて前画面に戻る。
なお、変更内容の保存が、ジョブの内容とともに設定されるものでもよく、また、ジョブの保存とは別にして、ジョブとと関連付けて設定内容が保存されるものでもよい。
この例では、ユーザーの変更内容に適した確認手段を提供することで、余分な確認による無駄な紙や手間を省き、また、ユーザーの意図しない設定でＪＯＢが保存されることを防ぐことができる。
【００６８】
変更内容の詳細釦１５０３が押下されて表示される変更内容詳細画面１５１０では、各設定項目の詳細を示すための釦が表示されており、設定画面で変更された設定内容の釦は有効とされて押下可能となり、変更されていない項目の設定内容の釦は網掛け表示などがされて押下不可になっている。
【００６９】
この実施形態では、出力設定釦１５１１、応用設定釦１５１２、画質調整釦１５１３、用紙設定釦１５１４が表示されて、出力設定釦１５１１、応用設定釦１５１２、画質調整釦１５１３が有効で、用紙設定釦１５１４が網掛け表示されている。戻る釦１５１５は、前画面の表示画面に戻る。
【００７０】
出力設定釦１５１１が押下されると、変更内容詳細（出力設定）画面１５２０に画面遷移する。
変更内容詳細（出力設定）画面１５２０では、出力設定に関する各項目を示す項目表示欄１５２１が設けられ、各項目に対応して、変更前の設定内容を示す変更前表示欄１５２２と変更後の設定内容を示す変更前表示欄１５２３とが並んで表示され、さらに、個々の項目毎に、選択された推奨の個別確認機能表示欄１５２４が選択されて同じく並んで表示されている。上記のように設定項目と確認機能とが操作表示部に関連付けて表示されることで、その関係を直ちに把握することができる。なお、設定項目と確認機能とが関連付けて表示されていればよく、必ずしも同一画面に表示されていることが本願発明として必須とされるものではない。
【００７１】
この例では、設定項目として束区切り、ステープル、パンチ、不要タブ排紙の項目について、それぞれの項目が変更され、束区切りでサンプル出力、ステープルとパンチでプレビュー、不要タブ排紙でメッセージが推奨の確認機能とされている。各設定項目と推奨の確認機能とは予め設定されており、その設定内容に従って推奨の確認機能が選択される。
【００７２】
変更内容詳細（出力設定）画面１５２０の下部側には、サンプル出力釦１５２５、プレビュー表示釦１５２６、戻る釦１５２７が配置されている。サンプル出力釦１５２５とプレビュー表示釦１５２６では、変更項目の推奨機能に該当する釦が有効になる。この例では、サンプル出力釦１５２５とプレビュー表示釦１５２６とがそれぞれ押下可能になっている。戻る釦１５２７は、前画面である変更内容詳細画面１５１０の画面に戻る。
【００７３】
応用設定釦１５１２が押下されると、変更内容詳細（応用設定）画面１５３０に画面遷移する。
変更内容詳細（応用設定）画面１５３０では、応用設定に関する各項目を示す項目表示欄１５３１が設けられ、各項目に対応して、変更前の設定内容を示す変更前表示欄１５３２と変更後の設定内容を示す変更前表示欄１５３３とが表示され、さらに、個々の項目毎に、選択された推奨の個別確認機能表示欄１５３４が選択されて表示されている。
【００７４】
この例では、設定項目として小冊子、定型スタンプの項目について、それぞれの項目が変更され、小冊子、定型スタンプともにプレビューが推奨の確認機能とされている。各設定項目と推奨の確認機能とは予め設定されており、その設定内容に従って推奨の確認機能が選択される。
【００７５】
変更内容詳細（応用設定）画面１５３０の下部側には、サンプル出力釦１５３５、プレビュー表示釦１５３６、戻る釦１５３７が配置されている。サンプル出力釦１５３５は、推奨機能にないため、押下不可となり網掛け表示されている。プレビュー表示釦１５３６では、変更項目の推奨機能に該当する釦が有効になる。戻る釦１５３７は、前画面である変更内容詳細画面１５１０の画面に戻る。
【００７６】
画質調整釦１５１４が押下されると、変更内容詳細（画質調整）画面１５４０に画面遷移する。
変更内容詳細（画質調整）画面１５４０では、画質調整に関する各項目を示す項目表示欄１５４１が設けられ、各項目に対応して、変更前の設定内容を示す変更前表示欄１５４２と変更後の設定内容を示す変更後表示欄１５４３とが表示され、さらに、個々の項目毎に、選択された推奨の個別確認機能表示欄１５４４が選択されて表示されている。
【００７７】
この例では、設定項目としてトーンカーブ調整について、項目が変更され、サンプル出力、プレビューが推奨の確認機能とされている。設定項目と推奨の確認機能とは予め設定されており、その設定内容に従って推奨の確認機能が選択される。
この例では、トーンカーブ調整についてサンプル出力、プレビューのどちらも推奨として選択されている。サンプル印刷が望ましいが、プレビューでもある程度確認できる項目として指定されたものである場合、いずれもが推奨の確認機能として自動選択することができる。
【００７８】
変更内容詳細（画質調整）画面１５４０の下部側には、サンプル出力釦１５４５、プレビュー表示釦１５４６、戻る釦１５４７が配置されている。サンプル出力釦１５４５とプレビュー表示釦１５４６では、変更項目の推奨機能に該当する釦が有効になる。この例では、サンプル出力釦１５４５とプレビュー表示釦１５４６とがそれぞれ押下可能になっている。戻る釦１５４７は、前画面である変更内容詳細画面１５１０の画面に戻る。
【００７９】
次に、推奨確認機能の自動選択の手順を図５のフローチャートに基づいて説明する。なお、以下のフローチャートの手順は、いずれも制御部の制御によって実行される。
設定変更後、保存釦押下に伴って手順を開始する。
先ず、確認機能を自動選択する機能がＯＮになっているかを判定する（ステップｓ１０）。制御部では、自動選択機能は、ＯＮ／ＯＦＦの選択を可能にしておくことができ、例えば、操作表示部１４でＯＮ／ＯＦＦの設定をすることができる。また、予め、ＯＮ／ＯＦＦのいずれかを初期設定として設定しておき、操作表示部１４で変更できるようにしてもよく、また、ＯＮ／ＯＦＦが固定的に設定されているものであってもよい。
【００８０】
推奨機能を自動選択する機能がＯＮでない場合（ステップｓ１０、Ｎｏ）、変更された内容でＪＯＢを保存し（ステップｓ２３）、処理を終了する。
推奨機能を自動選択する機能がＯＮである場合（ステップｓ１０、Ｙｅｓ）、印刷に関する変更項目があるか判定する（ステップｓ１１）。変更項目がなければ（ステップｓ１１、Ｎｏ）、変更された内容でＪＯＢを保存し（ステップｓ２３）、処理を終了する。
【００８１】
変更項目があれば（ステップｓ１１、Ｙｅｓ）、変更内容確認画面を表示する（ステップｓ１２）。次いで、手順Ａ−Ｂに至る推奨機能決定処理（ステップｓ１３；詳細は後述する）を行う。次いで、推奨機能を表示し（ステップｓ１４）、手順Ｃ−Ｄに至る変更内容詳細画面決定処理を行う（ステップｓ１５；詳細は後述する）。さらに、変更内容詳細の釦を表示し（ステップｓ１６）、推奨機能の釦の押下があったかを判定する（ステップｓ１７）。
【００８２】
推奨機能釦の押下があれば（ステップｓ１７、Ｙｅｓ）、推奨機能を実行し（ステップｓ１８）、保存釦を有効化し（ステップｓ１９）、ステップｓ１７に移行する。
推奨機能の釦の押下がなければ（ステップｓ１７、Ｎｏ）、変更内容詳細釦の押下がなされたか判定する（ステップｓ２０）。
変更内容詳細釦の押下がされていれば（ステップｓ２０、Ｙｅｓ）、変更内容詳細画面（一覧）へ遷移し（ステップｓ２５）、手順Ｇ−Ｈに至る変更内容詳細画面（一覧）の制御を行う（ステップｓ２６；詳細は後述する）。その後、変更内容確認画面に遷移し（ステップｓ２７）、ステップｓ１７に移行する。
【００８３】
変更内容詳細釦の押下がされていなければ（ステップｓ２０、Ｎｏ）、保存釦は有効かの判定を行う（ステップｓ２１）。保存釦が有効でなければ（ステップｓ２１、Ｎｏ）、ステップｓ１７に移行し、保存釦が有効であれば（ステップｓ２１、Ｙｅｓ）、保存釦が押下されたかを判定する（ステップｓ２２）。
保存釦が押下されていなければ（ステップｓ２２、Ｎｏ）、ステップｓ１７に移行し、保存釦が押下されていれば（ステップｓ２２、Ｙｅｓ）、保存された内容でジョブを保存して（ステップｓ２３）、手順を終了する。
【００８４】
次に、手順Ａ−Ｂに至る処理を図６のフローチャートに基づいて説明する。
先ず、変更項目を抽出し（ステップｓ３０）、変更項目に、サンプル出力が必要な設定項目があるか判定する（ステップｓ３１）。
サンプル出力が必要な設定項目がある場合（ステップｓ３１、Ｙｅｓ）、推奨機能をサンプル出力に設定し（ステップｓ３２）、推奨機能がサンプル出力である設定項目を一覧表示し（ステップｓ３３）、手順Ｂに至る。
【００８５】
サンプル出力が必要な設定項目がない場合（ステップｓ３１、Ｎｏ）、変更項目に、プレビュー確認が必要な設定項目があるか判定する（ステップｓ３４）。
プレビュー確認が必要な設定項目がある場合（ステップｓ３４、Ｙｅｓ）、推奨機能をプレビュー表示に設定し（ステップｓ３５）、推奨機能がプレビュー表示である設定項目を一覧表示し（ステップｓ３６）、手順Ｂに至る。
【００８６】
プレビュー確認が必要な設定項目がない場合（ステップｓ３４、Ｎｏ）、推奨機能をメッセージ表示に設定し（ステップｓ３７）、推奨機能がメッセージ表示である設定項目を一覧表示し（ステップｓ３８）、手順Ｂに至る。
【００８７】
次に、手順Ｃ−Ｄに至る処理を図７のフローチャートに基づいて説明する。
先ず、変更項目を抽出する（ステップｓ４０）。
次いで、出力設定に変更があるか判定する（ステップｓ４１）。出力設定に変更があれば（ステップｓ４１、Ｙｅｓ）、出力設定の変更詳細釦を有効化し（ステップｓ４２）、手順Ｅ−Ｆに至る変更内容詳細確認画面決定処理を行う（ステップｓ４３；詳細は後述する）。
【００８８】
出力設定に変更がない場合（ステップｓ４１、Ｎｏ）、またはステップｓ４３の後に、応用設定に変更があるか判定する（ステップｓ４４）。
応用設定に変更があれば（ステップｓ４４、Ｙｅｓ）、応用設定の変更詳細釦を有効化し（ステップｓ４５）、手順Ｅ−Ｆに至る変更内容詳細確認画面決定処理を行う（ステップｓ４６）。
【００８９】
応用設定に変更がない場合（ステップｓ４４、Ｎｏ）、またはステップｓ４６の後に、画質調整に変更があるか判定する（ステップｓ４７）。
画質調整に変更があれば（ステップｓ４７、Ｙｅｓ）、画質調整の変更詳細釦を有効化し（ステップｓ４８）、手順Ｅ−Ｆに至る変更内容詳細確認画面決定処理を行う（ステップｓ４９）。
【００９０】
画質調整に変更がない場合（ステップｓ４７、Ｎｏ）、またはステップｓ４９の後に、用紙設定に変更があるか判定する（ステップｓ５０）。
用紙設に変更があれば（ステップｓ５０、Ｙｅｓ）、用紙設定変更詳細釦を有効化し（ステップｓ５１）、手順Ｅ−Ｆに至る変更内容詳細確認画面決定処理を行う（ステップｓ５２）。
用紙設定に変更がない場合（ステップｓ５０、Ｎｏ）、またはステップｓ５２の後に、有効となった変更確認釦を表示し（ステップｓ５３）、手順Ｄに至る。
【００９１】
次に、手順Ｅ−Ｆに至る処理を図８のフローチャートに基づいて説明する。
先ず、所定の設定項目の変更内容を抽出する（ステップｓ６０）。この例では、所定の設定項目としては、出力設定、応用設定、画質調整、用紙設定のいずれかである。ただし、本発明としては、設定項目がこれらに限定されるものではない。
ステップｓ６０の後、所定の設定項目の変更内容を一覧表示し（ステップｓ６１）、変更内容に、サンプル出力が必要な設定項目があるか判定する（ステップｓ６２）。
【００９２】
サンプル出力が必要な設定項目があれば（ステップｓ６２、Ｙｅｓ）、サンプル出力釦を有効化する。
サンプル出力が必要な設定項目がない場合（ステップｓ６２、Ｎｏ）、またはステップｓ６３の後、変更内容に、プレビュー確認が必要な設定項目があるか判定する（ステップｓ６４）。
プレビュー確認が必要な設定項目があれば（ステップｓ６４、Ｙｅｓ）、プレビュー確認釦を有効化し、手順Ｆに至る。
プレビュー確認が必要な設定項目がなければ（ステップｓ６４、Ｎｏ）、手順Ｆに至る。
【００９３】
次に、手順Ｇ−Ｈに至る処理を図９のフローチャートに基づいて説明する。
先ず、所定の設定項目釦が有効か判定する（ステップｓ７０）。所定の設定項目釦としては、出力設定、応用設定、画質調整、用紙設定のいずれかであり、有効かどうかは「変更内容詳細確認画面（一覧）決定処理」で判断されている。
【００９４】
所定の設定項目釦が有効でない場合（ステップｓ７０、Ｎｏ）、戻る釦の押下がなされたか判定する（ステップｓ７３）。
所定の設定項目釦が有効である場合（ステップｓ７０、Ｙｅｓ）、所定の設定項目釦が押下されたかを判定する（ステップｓ７１）。所定の設定項目が押下されていれば（ステップｓ７１、Ｙｅｓ）、手順Ｉ−Ｊに至る変更内容詳細画面（詳細）の制御を行い、次いで、戻る釦の押下がなされたか判定する（ステップｓ７３）。
所定の設定項目が押下されていなければ（ステップｓ７１、Ｎｏ）、戻る釦の押下がなされたか判定する（ステップｓ７３）。
【００９５】
戻る釦の押下がされていない場合（ステップｓ７３、Ｎｏ）、ステップｓ７０に戻る。  戻る釦の押下がされていれば（ステップｓ７３、Ｙｅｓ）、手順Ｈに至る。
【００９６】
次に、手順Ｉ−Ｊに至る処理を図１０のフローチャートに基づいて説明する。
先ず、変更内容詳細画面で確認機能が実行されたかを判定する（ステップｓ８０）。変更内容詳細画面で確認機能が実行されていなければ（ステップｓ８０、Ｎｏ）、戻る釦が押下されたかを判定する（ステップｓ８３）。
変更内容詳細画面で確認機能が実行されていれば（ステップｓ８０、Ｙｅｓ）、確認機能が推奨機能か判定する（ステップｓ８１）。確認機能が推奨機能であれば（ステップｓ８１、Ｙｅｓ）、変更内容確認画面の保存釦を有効化し（ステップｓ８２）、戻る釦が押下されたかを判定する（ステップｓ８３）。
確認機能が推奨機能でなければ（ステップｓ８１、Ｎｏ）、戻る釦が押下されたかを判定する（ステップｓ８３）。
【００９７】
戻る釦が押下されていれば（ステップｓ８３、Ｙｅｓ）、手順Ｊに至る。戻る釦が押下されていなければ（ステップｓ８３、Ｎｏ）、ステップｓ８０に移行する。
【００９８】
以上、本発明について上記実施形態に基づいて説明したが、本発明の範囲を逸脱しない限りは実施形態の内容を適宜変更することは可能である。
【符号の説明】
【００９９】
１０  画像形成装置
１４  操作表示部
１５  画像形成部
３０  後処理装置
３３  後処理部
１００  ＣＰＵ
１０１  ＲＯＭ
１０２  ＲＡＭ
１４００  設定画面
１５００  変更内容確認画面
１５０１  推奨機能表示欄
１５０３  変更内容の詳細釦
１５０５  保存釦
１５１０  変更内容詳細画面
１５２４  個別確認機能表示欄
１５３４  個別確認機能表示欄
１５４４  個別確認機能表示欄
【図１】
0006536168.tif 000002
【図２】
0006536168.tif 000003
【図３】
0006536168.tif 000004
【図４】
0006536168.tif 000005
【図５】
0006536168.tif 000006
【図６】
0006536168.tif 000007
【図７】
0006536168.tif 000008
【図８】
0006536168.tif 000009
【図９】
0006536168.tif 000010
【図１０】
0006536168.tif 000011